(57)【要約】【課題】封止部材に対する不正行為を行い難くし、効果的に基板ケースに対する不正行為を予防することのできる基板ケースユニット及び遊技機を提供すること。【解決手段】この基板ケースユニット４５は、本体ケース３５ａ、蓋ケース３５ｂと、第４４封止部材とを備え、本体ケース３５ａには貫通孔４２が形成され、蓋ケース３５ｂには挿入穴４３が形成され、封止部材４４は、本体部４４ａとフランジ部４４ｂと突出ピン４６とを有し、フランジ部４４ｂが貫通孔４２の入口近傍に係合し、かつ、突出ピン４６が挿入穴４３内部に形成された係合溝４３ａに係合することにより封止が実現され、封止部材４４は、解除位置とロック位置とに移動するストッパ部材４８を更に有し、挿入穴４３に本体部４４ａが挿入された状態では、ストッパ部材４８がロック位置となって突出ピン４６を突出状態に維持する。【選択図】図６
2012110504.tif 000002
【特許請求の範囲】
【請求項１】
協働して電子基板を内包する基板ケースを構成する第１ケース及び第２ケースと、
該第１ケースと該第２ケースとを実質的に分離不可能に封止する封止部材と、を備えた基板ケースユニットであって、
前記第１ケースには、前記封止部材を貫通させる貫通孔が形成され、
前記第２ケースには、前記封止部材を挿入する挿入穴が形成され、
該封止部材は、
前記貫通孔を貫通して前記挿入穴に挿入される本体部と、
該本体部から突出形成されたフランジ部と、
該本体部から進退可能に突出配置された突出ピンと、を有し、
前記フランジ部が前記貫通孔の入口近傍に係合し、かつ、前記突出ピンが前記挿入穴内部に形成された係合凹部に係合することにより、前記第１ケースと前記第２ケースとの封止が実現され、
前記封止部材は、
前記突出ピンを進退可能とする解除位置と、突出状態に維持して退避を禁止するロック位置と、に移動するストッパ部材と、
該ストッパ部材を前記解除位置に維持して前記ロック位置への移動を禁止すると共に、前記本体部が前記挿入穴に挿入されると前記ストッパ部材の前記ロック位置への移動を許容する第２ストッパ部材と、を有し、
前記ストッパ部材の前記ロック位置から前記解除位置へと移動する移動方向と、前記突出ピンの進退方向と、が異なる方向であり、
前記挿入穴に前記本体部が挿入された状態では、前記ストッパ部材がロック位置となって前記突出ピンを突出状態に維持する基板ケースユニット。
【請求項２】
前記挿入穴内部に、前記係合凹部が前記本体部の挿入方向に沿って複数形成されている請求項１に記載の基板ケースユニット。
【請求項３】
前記第１ケース及び／又は前記第２ケースが、前記封印部材の回転を規制する回転規制構造を有する請求項１又は請求項２に記載の基板ケースユニット。
【請求項４】
遊技媒体を用いた遊技を実現する遊技装置体と、
該遊技装置体を保持する遊技機枠と、
請求項１から請求項３のうちいずれか１項に記載の基板ケースユニットと、
該基板ケースユニット内に内包される前記電子基板と、を有する遊技機。
【発明の詳細な説明】
【技術分野】
【０００１】
本発明は、基板ケースユニット及び遊技機に係り、特に、不正防止効果の高い基板ケースユニット等に関する。
【背景技術】
【０００２】
パチンコ機等の遊技機においては、弾球された遊技球が遊技領域（遊技盤面又はその近傍に形成された領域であって、遊技球の流下による遊技や演出を実現するための領域。）を流下して、その流下の過程で遊技球が遊技領域内の遊技釘や風車に衝突しつつ転回して流下方向が変化する。その結果、遊技領域上に配置された各種入賞口に遊技球が入賞すれば所定の賞球の払出しがされ、一方いずれの入賞口にも入賞せずアウト口に遊技球が流入すれば賞球の払出しはされない。遊技者は、弾球における自らの技量を発揮して、又は遊技球の流下における偶然性を利用しつつ遊技球の入賞及び賞球の払出しを期待し、遊技を楽しむのである。
【０００３】
このようなパチンコ機においては、年々遊技の態様や演出が複雑化・多様化してきており、それに伴い遊技機の動作や演出を制御するための電子回路基板の構造や機能も複雑化・多様化してきている。このような電子基板に対して不正な破壊や改造が行われると、遊技が適正に行われなかったり、一部の不正な遊技者に対して不当な利益が付与されてしまったりするおそれがある。そのため、電子基板を基板ケースによって内包し、外部からアクセスし難く構成している。
【０００４】
このように基板ケースによって電子基板を内包することにより、電子基板へ不正アクセスをし難くすることができる。また、一般的に電子基板を内包する基板ケースは、電子基板の下方を覆う本体ケースと、電子回路基板の上方を覆う蓋ケースと、によって構成されており、内包する電子回路基板の実装面を透視し得るように蓋ケースを透明な材質によって構成している。
【０００５】
そして、本体ケースと蓋ケースとは、いわゆるカシメ部材と呼ばれる封止部材によって開放（分離）不可能に封止されている。カシメ部材は、本体ケースと蓋ケースとに跨るように不可逆的に（すなわち、取り外し不可能に）設置される。カシメ部材で、一旦本体ケースと蓋ケースとを封止すると、その後は、カシメ部材を破壊するか、基板ケースを破壊しないと両ケースの開放ができない。そのため、万一、両ケースが開放されて電子基板に対して不正行為が行われると、その電子基板がたとえ元の位置に戻されていたとしても、カシメ部材や基板ケースに破壊の痕跡が残り、開放されたことの履歴が発見できるようになっている。例えば、特許文献１には、本体２と蓋３とをロックピン１６によって封止する構造が開示されている。
【先行技術文献】
【特許文献】
【０００６】
【特許文献１】特開平１１−４７４０２号公報
【発明の概要】
【発明が解決しようとする課題】
【０００７】
しかし、近年においては、基板ケースの不正開放はより巧妙に行われる。例えば、基板ケースにドリル等の不正工具を用いて穴を開け、その穴から針金等の工具を挿入してカシメ部材と基板ケースとの係合を解除し、カシメ部材を基板ケースから引き抜いて基板ケースを不正開放することが行われる場合がある。しかしながら、本来的には、基板ケースに不正に穴を開けたとしても、カシメ部材が基板ケースから引き抜けないようになっていることが好ましい。
【０００８】
本発明は、上記の事情に鑑みて為されたもので、封止部材に対する不正行為を行い難くし、効果的に基板ケースに対する不正行為を予防することのできる基板ケースユニット及び遊技機を提供することを例示的課題とする。
【課題を解決するための手段】
【０００９】
上記の課題を解決するために、本発明の例示的側面としての基板ケースユニットは、協働して電子基板を内包する基板ケースを構成する第１ケース及び第２ケースと、第１ケースと第２ケースとを実質的に分離不可能に封止する封止部材と、を備えた基板ケースユニットであって、第１ケースには、封止部材を貫通させる貫通孔が形成され、第２ケースには、封止部材を挿入する挿入穴が形成され、封止部材は、貫通孔を貫通して挿入穴に挿入される本体部と、本体部から突出形成されたフランジ部と、本体部から進退可能に突出配置された突出ピンと、を有し、フランジ部が貫通孔の入口近傍に係合し、かつ、突出ピンが挿入穴内部に形成された係合凹部に係合することにより、第１ケースと第２ケースとの封止が実現され、封止部材は、突出ピンを進退可能とする解除位置と、突出状態に維持して退避を禁止するロック位置と、に移動するストッパ部材を更に有し、挿入穴に本体部が挿入された状態では、ストッパ部材がロック位置となって突出ピンを突出状態に維持する。
【００１０】
ストッパ部材が解除位置とロック位置とに移動するので、解除位置では突出ピンを退避状態として封止部材を貫通孔や挿入穴に簡単に取り付けることができる。また、挿入穴に封止部材の本体部が挿入された状態では、ストッパ部材がロック位置となって突出ピンを突出状態に維持するので、突出ピンと係合溝との係合が外れることがなく、確実な封止を実現することができる。
【００１１】
例えば、基板ケースに不正に穴を空けて、突出ピンを退避状態へと押し込んで封止部材を取り外そうとしても、突出ピンが退避状態とならない。したがって、封止部材を取り外すことができず、基板ケースの不正開放（分離）が効果的に防止される。
【００１２】
ここで、典型的には、封止部材は金属製であり、本体部は円柱形状又は円筒形状である。フランジ部は、本体部より大径の円盤部であって、突出ピンは、本体部の長手方向（円柱形状又は円筒形状の場合、その中心軸方向）に直交する方向、すなわち側方へと進退可能に突出する。退避状態では、突出ピンは本体部内に収まり、突出状態では、突出ピンは本体部から側方に突出する。ストッパ部材は、例えば、本体部内部であって、突出ピンの後端部近傍に配置される。そして、ロック位置では、突出ピンの後端部の後方移動（退避方向への移動）を阻止し、突出状態に維持する機能を発揮する。
【００１３】
突出ピンは、バネ等の付勢手段によって突出方向へと付勢されていることが好ましく、ストッパ部材は、バネ等の付勢手段によってロック位置方向へと付勢されていることが好ましい。
【００１４】
ストッパ部材がロック位置から解除位置へと移動する移動方向と、突出ピンの進退方向と、が異なる方向であってもよい。
【００１５】
ストッパ部材を解除位置へと移動させる方向と突出ピンの進退方向とが異なるので、ストッパ部材を解除位置へ移動させる操作と突出ピンを退避させる操作とを１アクションで同時的に行うことが困難とされている。したがって、ストッパ部材がロック位置にあるロック状態の突出ピンを退避させるには、２アクションが必要となる。突出ピンの退避移動に２アクションが必要とされているので、不正防止効果を一層高めることができる。また、例えば不正行為者が基板ケースに穴を開けて突出ピンを退避させようとしても、そもそもストッパ部材がロック位置にあって突出ピンが退避不可能となっている上に、ストッパ部材を解除位置へと移動させるには、基板ケースの別の位置に穴を開けて別方向にストッパ部材を移動させる必要がある。不正開放に必要な手間を増大させることができ、不正行為防止に貢献する。
【００１６】
封止部材が、ストッパ部材を解除位置に維持してロック位置への移動を禁止すると共に、本体部が挿入穴に挿入されるとストッパ部材のロック位置への移動を許容する第２ストッパ部材を更に有してもよい。
【００１７】
第２ストッパ部材が、ストッパ部材を解除位置に維持しているので、突出ピンが進退可能な状態に維持される。したがって、手で突出ピンをわざわざ退避位置に押し込まなくても、簡単に本体部を貫通孔及び挿入穴に取り付けることが可能である。また、本体部が挿入穴に挿入されると第２ストッパ部材がストッパ部材のロック位置への移動を許容するので、封止部材を基板ケースに取り付けると自動的に突出ピンが突出して係合溝に係合し、第１ケースと第２ケースとの封止を実現する。したがって、基板ケースへの封止部材の取付けが簡単となる上に、封止部材を取り付けると自動的に突出ピンと係合溝との係合（すなわち、基板ケースの封止）が完了する。
【００１８】
ここで、第２ストッパ部材は、例えば、封止部材の取付けに伴い第１ケースに当接して状態が変化する当接部材であってもよい。また、ストッパ部材のロック位置への移動を許容するタイミングとしては、本体部が貫通孔に挿入開始された時点から本体部が挿入穴に充分押し込まれて挿入動作が完了する時点までの間のいずれの時点であってもよいが、突出ピンが挿入穴に挿入された後であることがより好ましい。突出ピンが突出方向に移動しても、既に第２ケースの挿入穴の内部であり、その後円滑に突出ピンが係合溝に到達するからである。
【００１９】
また、ストッパ部材はロック位置方向へと付勢されていることが好ましく、第２ストッパ部材がその付勢力に抗してストッパ部材を解除位置に維持する機能を有していることが好ましい。
【００２０】
挿入穴内部に、係合凹部が本体部の挿入方向に沿って複数形成されていてもよい。
【００２１】
係合凹部が本体部の挿入方向に沿って複数形成されているので、たとえ、不正行為によって突出ピンと複数の係合凹部のうちの一の係合凹部との係合が解除されたとしても、突出ピンは再び別の係合凹部と係合することとなる。そのため、すべての係合凹部との係合を解除するには多くの手間が必要となり、不正行為の予防効果が発揮される。
【００２２】
なお、係合凹部は、典型的には、挿入穴内周に沿って凹状に形成された係合溝や、断面鋸刃状に形成された段付き部である。挿入方向に沿って、この係合溝が凹凸を繰り返すように複数形成されたり、段付き部が複数段に形成されたりしていれば、簡単には封止部材を取り外すことができず、高い不正行為防止効果を発揮する。
【００２３】
第１ケース及び／又は第２ケースが、封印部材の回転を規制する回転規制構造を有してもよい。
【００２４】
回転規制構造によって、封印部材の回転が規制されれば、封止部材の取り外しをより困難とすることができる。例えば、回転規制構造がない場合には、略円柱形状又は略円筒形状の封止部材は、挿入穴内で中心軸周りに回転可能である。封止部材は、基板ケースの側辺近傍に配置されることが多く、たとえ３方向から封止部材へのアクセスが困難となっていても、側辺側から短い距離で封止部材へとアクセスすることができる場合が多い。したがって、封止部材を回転させて、突出ピンをこの側辺側に位置させれば、側辺側から短い距離の穴を開けて突出ピンに容易にアクセスすることができる。
【００２５】
しかしながら、封印部材の回転が回転規制構造によって規制されていれば、封止部材を自由に回転させることができない。したがって、突出ピンが側辺側に位置しないように封止部材を取り付ければ、封止部材を回転させて突出ピンを側辺側に位置させることが殆どできなくなり、突出ピンへのアクセスが非常に困難となる。そのため、不正行為を防止する効果を一層高めることができる。
【００２６】
本発明の他の例示的側面としての遊技機は、遊技媒体を用いた遊技を実現する遊技装置体と、遊技装置体を保持する遊技機枠と、上記の基板ケースユニットと、基板ケースユニット内に内包される電子基板と、を有する。
【００２７】
この遊技機によれば、基板ケースの不正開放が予防され、基板ケース内の電子基板への不正アクセスが予防されるので、電子基板に不正な改造が行われることにより、遊技者が不正に利益を得たり、遊技機ホール側が不測の不利益を被る虞が低減する。したがって、安全かつ安心な遊技提供に資することができる。ここで、遊技機とは、典型的にはパチンコ機であるが、もちろん電子基板を使用する種々の遊技機、例えばパチスロ機、スロットマシン、アーケードゲーム機等を概念することができる。
【００２８】
本発明の更なる目的又はその他の特徴は、以下添付図面を参照して説明される好ましい実施の形態によって明らかにされるであろう。
【発明の効果】
【００２９】
本発明によれば、簡単な構成で基板ケースの不正開放を従来より一層効果的に予防し、ひいては基板ケース内の電子基板に対する不正な改造、交換等のアクセスを予防することができる。したがって、遊技者の不正な利益、ホール側の不測の不利益を防止し、安全かつ安心な遊技提供に資する。
【図面の簡単な説明】
【００３０】
【図１】本発明の実施の形態に係るパチンコ機の正面図である。
【図２】図１に示すパチンコ機の背面図である。
【図３】主制御基板ケースの正面図である。
【図４】主制御基板ケースの分解斜視図である。
【図５】図４に示す封止部材の内部構造の概略を示す拡大断面図であって、（ａ）は、突出ピンが退避した状態を示し、（ｂ）は突出ピンが突出した状態を示す。
【図６】封止部の側方断面を拡大して示す拡大断面図であって、（ａ）は、封止部材の取付け前の状態を示し、（ｂ）は、封止部材の取付状態を示す。
【図７】本発明の変形例１に係る基板ケースユニットにおける封止部近傍の外観斜視図である。
【図８】本発明の変形例１に係る基板ケースユニットにおける封止部近傍の側方断面図であって、（ａ）は、封止部材の取付け前の状態を示し、（ｂ）は、封止部材の取付途中の状態を示す。
【図９】本発明の変形例３に係る基板ケースユニットにおける封止部近傍の側方断面図であって、封止部材が取り付けられた状態を示す。
【発明を実施するための形態】
【００３１】
以下、本発明の実施の形態について図面を用いて説明する。図１は、本発明の実施の形態に係る電子回路基板を有する遊技機としてのパチンコ機２の正面図であり、図２は、図１に示すパチンコ機２の背面図である。このパチンコ機２は、遊技機枠３、遊技盤ユニット５、ガラス１０、発射ユニット（不図示）、球皿１４を有している。発射ユニットは、遊技盤ユニット５に構成される遊技領域１６に向けて１球ずつ遊技球２３を発射可能である。
【００３２】
パチンコ機２は、遊技者が後述する発射装置ハンドル１５を操作することによって、遊技領域１６に向けて遊技球が発射ユニットによって発射され、遊技球の流下による遊技が実現される。なお、遊技機は、パチンコ機２の他にパチンコ式スロットマシン機、スロットマシン、コインゲーム機等のアーケードマシン、各種ゲーム機を概念することができ、要するに、遊技媒体を用いた遊技を実現する遊技領域を有するあらゆる遊技機が含まれる。
【００３３】
なお、パチンコ機においても、アレンジボール機、雀球機等の組合せ式パチンコ機、いわゆるデジパチタイプ（１種タイプ）やハネモノタイプ（２種タイプ）のパチンコ機等のあらゆるパチンコ機が概念できるが、本実施の形態においては、デジパチ遊技（１種遊技、図柄変動遊技ともいう。）を実現するいわゆる１種タイプのパチンコ機について例示説明する。なお、図柄変動遊技については後述する。
【００３４】
パチンコ機２の遊技機枠３は、後述する遊技盤ユニット（遊技装置体）５を保持するためのもので、このパチンコ機２の周囲側面及び前方又はそれに加えて後方を囲むように構成される。遊技機枠３の内部側には、遊技盤ユニット５の他にも後述する各種制御基板や遊技媒体用の経路等各種機構部品が配置され、遊技機枠３によって周囲側面及び前方又はそれに加えて後方からのパチンコ機２内部側への不正アクセスが防止されるようになっている。
【００３５】
パチンコ機２の周囲を囲む外枠４、その内側にヒンジ２２によって前方開閉可能に揺動支持されて遊技盤ユニット５を保持する前枠９、前枠９の前方にヒンジ２２によって前方開閉可能に揺動支持されガラス１０及びその周囲を装飾する装飾部材３２を保持するガラス枠１２、を有して遊技機枠３が構成される。なお、ガラス１０は、遊技機枠３内部側に保持された遊技盤６を前方から遊技者が視認することができるようにするための透明部材である。遊技機枠は、遊技盤ユニット５を保持する前枠９と、後述する主制御基板ケース（基板ケース）３５と、を備えている。
【００３６】
ガラス１０は、遊技盤６に対して一定距離以上離間して配置された透明板である。ガラス１０は、２枚の透明平板ガラスで形成されてガラス枠１２の裏面側に保持され、遊技盤６との間に遊技球２３が流下する流下空間を形成する機能、遊技者がガラス１０を通して遊技盤６を視認できるように視認性を確保する機能、遊技者が遊技盤６に不正にアクセス（接触）できないようにする不正アクセス防止機能、を発揮する。
【００３７】
球皿１４は、遊技者の持ち球を貯留するためにパチンコ機２の前面に配置された皿部材であって、本実施の形態においては上球皿１４ａと下球皿１４ｂとを有している。上球皿１４ａは、球抜き部材１４ｃを有して遊技盤６の下方、すなわちガラス枠１２の下方部分に配置され、下球皿１４ｂは、その上球皿１４ａの更に下方に配置されている。
【００３８】
発射ユニットは、球送り装置（不図示）によって球皿１４の一部としての上球皿１４ａから発射位置に送り出された遊技球２３を遊技領域１６の上部に向けて発射（弾球）するためのものである。発射ユニットは、例えば発射位置の遊技球２３を弾球する発射杆、その発射杆を駆動する発射モータ、発射杆を付勢して弾球力を発生させる発射バネ等を有してユニット構成され、前枠９に取り付けられている。その発射ユニットによる球発射のため、遊技者の操作に基づいて球発射のオンオフ及びその発射強度調整を実現する発射装置ハンドル１５がパチンコ機２の前面下方に設けられている。
【００３９】
遊技盤ユニット５は、遊技盤面６ａ側の略中央に遊技役物としてのセンター役物７が配置された遊技盤６を有しており、その遊技盤面６ａには多数の遊技釘２７も配置されている。センター役物７の中央部には、画像表示手段としての演出表示装置７ａが配置されると共に、この演出表示装置７ａの表示部７ｂを露出させるための表示開口部７ｄが形成されている。
【００４０】
遊技盤６は、その表面側に遊技球２３の流下による遊技を実現するための遊技領域１６を構成するための盤状部材であり、遊技盤６を前方から遊技者にとって視認可能となるように遊技機枠３（本実施の形態においては、遊技機枠３の一部としての前枠９。）に保持されている。その遊技盤６の表面には略円形状に周囲を囲むようにレール飾り２６が取り付けられており、レール飾り２６の外レール２６ａが遊技盤に対して立設するように配置されている。そして、レール飾り２６の外レール２６ａによって画定され、外レール２６ａに面した略円形状の領域が遊技領域１６となっている。
【００４１】
遊技釘２７は、遊技領域１６を流下する遊技球２３と衝突してその流下方向を変更させる流下変更部材であり、遊技領域１６内に多数配置されている。また、遊技領域１６には、普通入賞口２８、始動入賞口２９、大入賞口３１等の入球部材及びアウト口３０が配置されている。更に、遊技領域１６には、ゲート３３、風車２５等が配置されており、流下する遊技球２３が各入球部材に流入したり、ゲート３３を通過したり、風車２５を回転させたりすることによって、遊技球２３による流下遊技を楽しむことができるようになっている。
【００４２】
センター役物７は、演出表示装置７ａの周囲を覆うように構成されており、図柄変動遊技（１種遊技）を実現するものである。センター役物７の上部には、図柄表示手段としての第１図柄（特別図柄）表示装置１７が配置されると共に、センター役物７の中央部には、演出表示装置７ａが配置されている。
【００４３】
第１図柄（特別図柄）表示装置１７には、抽選手段の抽選結果である第１図柄の変動が表示される。第１図柄は、始動入賞口２９への遊技球２３の入球を契機として実行される第１抽選の結果に対応した図柄である。第１図柄の変動表示が所定の当選態様で停止することにより第１特別遊技としての大当りが発生する。
【００４４】
演出表示装置７ａは、例えば、液晶表示装置・有機ＥＬディスプレイ・ＬＥＤ等により構成されて遊技者が遊技盤面６ａ側から視認可能となるように配置され、その表示部７ｂ上に映像表示を行うものである。この演出表示装置７ａの表示部７ｂには、第１図柄に連動する第１装飾図柄の表示がなされる。第１装飾図柄は、第１抽選手段の抽選結果を視覚的に演出するための図柄であり、第１の遊技に対応する。また、例えば、キャラクター等によるストーリー仕立ての映像としての演出映像も表示部７ｂ上に表示されるようになっている。演出表示装置７ａには、遊技制御手段としての演出制御基板が中継基板を介して電気的に接続されており、演出制御基板によって画像表示が制御される。
【００４５】
図２に示すように遊技盤６の裏面側には、パチンコ機２の全体の制御を行う電子基板としての主制御基板３４を内包する主制御基板ケース３５と、演出表示装置７ａの画像表示等演出の制御等を行う演出制御基板（図示せず）を収容した演出制御基板ケース３６と、賞球の払出しを制御する払出制御基板（図示せず）を収容した払出制御基板ケース３７と、電源基板（図示せず）を収容した電源基板ケース３８と、が配置されている。この各制御基板ケースに収容された各制御基板によって遊技が実現される。更に、遊技盤６の裏面側には、パチンコ機２の遊技状態等の遊技情報を外部に出力するための外部出力端子板３９が設けられている。
【００４６】
図示しない球発射装置により遊技球２３が発射されると、遊技球２３はレール飾り２６の外レール２６ａに沿いつつ進行して遊技領域１６内の上部に至る。その後、遊技球２３は、複数の通過軌跡に沿って移動し、あるものはレール飾り２６の外レール２６ａに沿って右側に移動し、あるものは遊技釘２７に衝突しつつ遊技領域１６内を下方に流下し、あるものは普通入賞口２８に流入して一定数の賞球の払出し契機となり、あるものはいずれの入球装置にも流入せずに遊技領域１６内最下部に位置するアウト口３０に流入してアウト球としてパチンコ機２の外部側へと排出される。
【００４７】
図柄変動遊技中に遊技球２３が始動入賞口２９に流入すると、その流入に起因して演出表示装置７ａの表示図柄７ｃが回転表示（第１の特別遊技の抽選）を開始し、その表示図柄７ｃが所定の図柄（例えば、「７・７・７」。）で停止表示すれば、図柄変動遊技における大当り（第１の特別遊技。以下、図柄変動大当りという。）が発生する。そして、大入賞口３１が開放して多量の入賞球を受け入れ、多量の賞球が球皿１４へと払い出されるようになっている。
【００４８】
次いで、主制御基板３４及びこの主制御基板３４を内包する主制御基板ケース３５について図３及び図４を用いて詳細に説明する。以下の説明においては、上下及び前後左右の方向は、遊技者からパチンコ機２を見た際の方向に基づいて定義し、図中に適宜図示する。なお、本実施の形態では、主制御基板３４及び主制御基板ケース３５について例示して説明するが、他の制御基板ケースについても同様の構造を採用することが可能である。
【００４９】
図３は、主制御基板３４を収容した主制御基板ケース３５の正面図であり、図４は、主制御基板３４及び主制御基板ケース３５の分解斜視図である。
【００５０】
主制御基板ケース３５は、遊技盤の裏面に装着される本体ケース（第１ケース、基板ケースの一部）３５ａと、本体ケース３５ａに対して着脱自在に固定される蓋ケース（第２ケース、基板ケースの一部）３５ｂとの２つの基板ケースを有し、これら両者が協働して主制御基板３４を内部に内包する。主制御基板３４は、蓋ケース３５ｂの内面側に形成された開口部に固定されて、蓋ケース３５ｂと本体ケース３５ａとが係合することにより、主制御基板ケース３５の内部に収容されるようになっている。この収容された状態では、主制御基板３４に対して外部から接触することはできない。
【００５１】
主制御基板３４は、板状の基板３４ａと、基板３４ａの表面（ここでいう表面は、パチンコ機２を正面から視認した状態において後面側となる。）３４ｄに実装された電子部品と、を備えている。電子部品は、ＲＯＭ、ＲＡＭ、ＣＰＵ等の集積回路３４ｂと、接続コネクタ３４ｃと、を有して構成されている。
【００５２】
主制御基板３４の周囲には、蓋ケースに固定するための固定穴３４ｆが形成されている。主制御基板３４の後側から固定穴３４ｆに固定ネジを挿入して、この固定ネジと蓋ケース３５ｂのネジ穴（図示せず）とをネジ止めすることにより、主制御基板３４が蓋ケース３５ｂ内に固定されるようになっている。
【００５３】
図４に示す主制御基板ケース３５の下側部には、ヒンジ部が設けられている。ヒンジ部は、本体ケース３５ａの下側壁面に沿った軸部（図示せず）と、この軸部に係止される円弧状の弧状爪部３５ｅと、を有して構成され、軸部は蓋ケース３５ｂに形成され、弧状爪部３５ｅは本体ケース３５ａに形成されている。蓋ケース３５ｂは本体ケース３５ａに対して軸部を中心として揺動可能に支持されており、蓋ケース３５ｂが本体ケース３５ａに対して回転移動することより、主制御基板ケース３５の開口部を開放した開状態と閉鎖した閉状態とを実現する。
【００５４】
＜封止部材の構造＞
主制御基板ケース３５の上側部には、封止部４１が形成されている。封止部４１は、本体ケース３５ａに形成された貫通孔４２と、蓋ケース３５ｂに形成された挿入穴４３とに封止部材４４が取り付けられて構成される（図６も参照）。この封止部材４４と本体ケース３５ａと蓋ケース３５ｂとを有して基板ケースユニット４５が構成される。
【００５５】
図５は、封止部材４４の内部構造の概略を示す拡大断面図であって、（ａ）は、突出ピン４６が退避した状態を示し、（ｂ）は突出ピン４６が突出した状態を示す。封止部材４４は、例えば本実施の形態においては、大略円柱形状を呈する金属部材である。本体部４４ａの上部に本体部よりも大径とされたフランジ部４４ｂを有している。本体部４４ａの下方近傍には、内部から側方に突出する突出ピン４６が進退可能に配置されている。突出ピン４６は、バネ４７によって突出方向に付勢されている。したがって、突出ピン４６を外部から本体部４４ａ内部へと手で押し込めば突出ピン４６の先端部４６ａが本体部４４ａ内部へと退避するが（図５（ａ））、先端部４６ａから手を離すと本体部４４ａから側方へと突出するようになっている（図５（ｂ））。
【００５６】
突出ピン４６の進退方向における後方には、ストッパ部材４８が配置されている。ストッパ部材４８は、バネ４９により図５中下方向に向けて付勢されている。突出ピン４６が退避状態にある場合は、ストッパ部材４８は突出ピン４６の後端部４６ｂの上方に位置している。このストッパ部材４８の位置を解除位置という（図５（ａ））。本実施の形態においては、ストッパ部材４８は、下方向に付勢されているので、解除位置では突出ピンの後端部４６ｂの上面側に当接している。
【００５７】
ストッパ部材４８が解除位置にある場合は、ストッパ部材４８が突出ピン４６の進退移動を阻害しない。したがって、突出ピン４６は進退可能となっている。一方、突出ピン４６が突出すると、ストッパ部材４８が下方に移動し、突出ピン４６の後端部４６ｂの後方に位置することとなる。このストッパ部材４８の位置をロック位置という（図５（ｂ））。ロック位置では、ストッパ部材４８が突出ピン４６の後方移動（退避移動）を阻害している。したがって、突出ピン４６は、突出状態のまま退避ができない。
【００５８】
本体部４４ａの下面には、封止部材４４の外部からストッパ部材４８の下面へと貫通するピン孔４４ｃが形成されている。ピン孔４４ｃを介して外部から細い針金等を挿入し、ストッパ部材４８の下面を上方向に押し上げると、ロック位置となったストッパ部材４８を解除位置へと移動させることができる。このときに、突出ピン４６を側方から押し込めば、突出ピン４６を再び退避状態とすることができる。
【００５９】
なお、突出ピン４６の進退方向は、図５中の左右方向（側方向）であり、ストッパ部材４８の移動方向は、図５中の上下方向である。そのため、突出ピン４６を押し込む位置は、本体部４４ａの側方となり、ストッパ部材４８を押し込む（解除位置に移動させる）位置は、本体部４４ａの下面側となる。突出ピン４６の進退方向とストッパ部材４８の移動方向が異なる方向となっているので、ロック位置にあるストッパ部材４８を解除位置へと移動させた上で、突出状態の突出ピン４６を退避位置へと移動させる操作が別々の２つの操作（２アクション）を必要とするようになっている。
【００６０】
＜封止部材の取付け手順＞
図６は、封止部４１の側方断面を拡大して示す拡大断面図であって、（ａ）は、封止部材４４の取付け前の状態を示し、（ｂ）は、封止部材４４の取付状態を示す。図６（ａ）においては、ストッパ部材４８が解除位置にあり、突出ピン４６が退避状態となっている。そして、図６（ｂ）においては、突出ピン４６が突出状態であり、ストッパ部材４８がロック位置にある。
【００６１】
封止部４１において、本体ケース３５ａには貫通孔４２が形成されている。貫通孔４２は、封止部材４４の本体部４４ａが嵌合する寸法及び形状に形成されている。貫通孔４２の入口部分（図６における上側部分）には、部分的に大径とされてザグられた段付き部４２ａが形成されている。この段付き部４２ａは、封止部材４４のフランジ部４４ｂの厚さと略同じ深さであって、かつ略同径とされていて、封止部材４４の取付状態において、フランジ部４４ｂと嵌合する。その結果、フランジ部４４ｂと段付き部４２ａとが係合されるようになっている。
【００６２】
封止部４１において、蓋ケース３５ｂには挿入穴４３が形成されている。挿入穴４３は、貫通孔４２同様に、封止部材４４の本体部４４ａが嵌合する寸法及び形状に形成されている。挿入穴４３の内部であって、封止部材４４の取付状態における突出ピン４６に対応する位置には、内壁周囲に亘って等高の係合溝（係合凹部）４３ａが形成されている。この係合溝４３ａは、取付状態における封止部材４４の突出ピン４６と係合し、封止部材４４が蓋ケース３５ｂから抜けてしまうのを防止している。
【００６３】
係合溝４３ａの更に穴入口側（図６における上方）には、係合溝４３ａと同様の第２係合溝４３ｂが形成されている。この第２係合溝４３ｂは、通常時には突出ピン４６と係合しないが、何らかの不正行為により突出ピン４６と係合溝４３ａとの係合が解除されてしまった場合に、引き抜かれようとする封止部材４４の突出ピン４６と係合し、２段階で封止部材４４の取り外しを阻止している。
【００６４】
図６（ａ）に示すように、ストッパ部材４８が解除位置であり、突出ピン４６が退避位置である状態で、封止部材４４を貫通孔４２から挿入穴４３へと挿入する。突出ピン４６が退避状態であるので、円滑に本体部４４ａが貫通孔４２から挿入穴４３へと挿入される。突出ピン４６が第２係合溝４３ｂを乗り越えて係合溝４３ａに対応する位置へと移動すると、突出ピン４６が突出して係合溝４３ａに係合する。それに伴い、ストッパ部材４８がロック位置へと移動して、突出ピン４６の退避移動を禁止する位置となる。
【００６５】
ストッパ部材４８がロック位置となることで、突出ピン４６の退避移動が禁止され、係合溝４３ａとの係合解除が実質的に不可能とされる。したがって、本体ケース３５ａと蓋ケース３５ｂとを開放する不正行為を有効に防止する。たとえ、封止部材４４までの距離が比較的短い側辺３５ｃ（図４参照）側から係合溝４３ａに向けて不正に穴が開けられ、その不正穴を介して針金等を侵入させて突出ピン４６を退避させようとしても、その退避移動がストッパ部材４８によって阻害されているので、突出ピン４６と係合溝４３ａとの係合を解除することができない。したがって、フランジ部４４ｂと段付き部４２ａとの係合と、突出ピン４６と係合溝４３ａとの係合と、によって、本体ケース３５ａと蓋ケース３５ｂとは実質的に分離不可能に封止される。
【００６６】
なお、万が一の場合において、突出ピン４６と係合溝４３ａとの係合が解除されたとしても、第２係合溝４３ｂが再び突出ピン４６と係合して封止部材４４の取り外しを防止している。また、第２係合溝４３ｂの下側面は、テーパ面４３ｃとされている。したがって、封止部材４４を挿入穴４３に挿入する際には、突出ピン４６の先端部４６ａがテーパ面４３ｃに受けられて、封止部材４４の挿入に伴って円滑に突出ピン４６が退避されるようになっている。第２係合溝４３ｂの溝深さは、係合溝４３ａの溝深さよりも浅くされており、封止部材４４の挿入時に突出ピン４６が第２係合溝４３ｂ内に入り込んでもストッパ部材４８はロック位置に移動できないようになっている。
【００６７】
［変形例１］
図７は、本発明の変形例１に係る基板ケースユニット４５における封止部４１近傍の外観斜視図である。この変形例１において、上記実施の形態と同様の構成については同様の符号を付し、その説明を省略する。
【００６８】
この変形例１においては、封止部材４４のフランジ部４４ｂから本体部４４ａにかけて、部分的に突出する突出部４４ｄが形成されている。そして、本体ケース３５ａの貫通孔４２における段付き部４２ａに、突出部４４ｄに対応する形状の嵌入穴４２ｂが形成されている。嵌入穴４２ｂは、周状に複数形成されており、封止部材４４の取付状態において、突出部４４ｄがいずれかの嵌入穴４２ｂに嵌入するようになっている。
【００６９】
この突出部４４ｄと嵌入穴４２ｂとが回転規制構造を構成する。すなわち、この回転規制構造がない場合には、係合溝４３ａが挿入穴４３の内周に亘って形成されていると、挿入穴４３内で封止部材４４を回転させることができる。そうすると、突出ピン４６の先端部４６ａを側辺３５ｃ側へ向けることができ、側辺３５ｃ側から不正に開けられた穴を介して、突出ピン４６の先端部４６ａへと外部から容易にアクセスすることができてしまう。
【００７０】
しかしながら、基板ケースユニット４５がこの回転規制構造を有することで、挿入穴４３内部での封止部材４４の回転を規制することができる。突出ピン４６の先端部４６ａが側辺３５ｃ側に向かないようにして、貫通孔４２及び挿入穴４３に封止部材４４を挿入する。突出ピン４６が挿入穴４３内の係合溝４３ａに係合すると、突出部４４ｄが嵌入穴４２ｂ内に嵌入するので、封止部材４４の回転が規制されるのである。
【００７１】
突出ピン４６の先端部４６ａが側辺３５ｃ側以外の方向を向いており、封止部材４４が回転しないので、先端部４６ａを側辺３５ｃ側へと向けることができない。更に、側辺３５ｃ側以外の方向から蓋ケース３５ｂに不正に穴を開けて突出ピン４６の先端部４６ｂにまで到達するのは非常に困難である。そのため、この回転規制構造は、基板ケースユニット４５に対する不正開放行為を効果的に予防している。
【００７２】
［変形例２］
図８は、本発明の変形例２に係る基板ケースユニット４５における封止部４１近傍の側方断面図であって、（ａ）は、封止部材４４の取付け前の状態を示し、（ｂ）は、封止部材４４の取付途中の状態を示す。
【００７３】
封止部材４４は、本体部４４ａ内部に突出ピン４６を有しているが、突出ピン４６を突出方向に付勢するバネ４７を有していない。本体部４４ａ内部にストッパ部材４８とストッパ部材４８をロック位置方向に付勢するバネ４９を有している。更に、第２ロック部材としてのレバー部材５０を有している。ストッパ部材４８には、レバー部材５０の後端部５０ｂと当接する段付き部４８ａが形成され、その先端部分がテーパ面４８ｂとされている。
【００７４】
レバー部材５０は、支点５１を中心に回転可能であって、図８（ｂ）に示す収納状態では本体部４４ａ内部に収納される。一方、図８（ａ）に示す突出状態ではその先端部５０ａが本体部から側方に突出しており、その後端部５０ｂがストッパ部材４８の段付き部４８ａをバネ４９の付勢力に抗して押し上げて、ストッパ部材４８を解除位置に維持している。レバー部材５０は、突出状態で、バネ４９の付勢力とバランスするように設定されている。
【００７５】
図８（ａ）においては、ストッパ部材４８が解除位置であるので、突出ピン４６は進退可能である。したがって、その先端部４６ａを手で押し込み、退避状態としている。突出ピン４６がバネで付勢されていないので、退避状態に維持するために先端部４６ａを手で押さえ続ける必要はない。
【００７６】
この封止部材４４を図８（ｂ）に示すように貫通孔４２に取り付けようとすると、レバー部材５０の先端部５０ａが貫通孔４２入口近傍の段付き部４２ａに当接して、図８中上方へと押し上げられる。それにより、バネ４９との力バランスが崩れ、レバー部材５０は、図中反時計回りに回転して収納状態となる。それに伴い、後端部５０ｂと段付き部４８ａとの当接が解除され、バネ４９の付勢力によってストッパ部材４８がロック位置へと移動する。ストッパ部材４８の先端部分はテーパ面４８ｂとされているので、突出ピン４６の後端部４６ｂを受けつつ突出方向へと押し出し、突出ピン４６が突出する。そして、突出ピン４６が係合溝４３ａに係合するのである。
【００７７】
この変形例２によれば、封止部材４４を貫通孔４２内に挿入する際に、突出ピン４６を手で押さえつつ行う必要がない。したがって、封止部材４４の挿入作業が簡単である。しかも、封止部材４４を挿入穴４３にまで挿入すると、自動的に突出ピン４６が突出して係合溝４３ａに係合する。したがって、封止作業を大変効率的に行うことができる。
【００７８】
なお、レバー部材５０の本体部４４ａからの突出位置は、なるべくフランジ部４４ｂ近く、すなわち図８中の上方位置であることが好ましい。それにより、突出ピン４６の突出タイミングを遅くすることができるので、突出ピン４６を確実に係合溝４３ａ内に係合させることができる。もちろん、突出ピン４６が挿入穴４３内部にまで到達した後に、レバー部材５０と本体ケース３５ａとが当接するようになっていれば、そのまま円滑に封止部材４４を挿入することができるので、問題はない。
【００７９】
［変形例３］
図９は、本発明の変形例３に係る基板ケースユニット４５における封止部４１近傍の側方断面図であって、封止部材４４が取り付けられた状態を示す。
【００８０】
この変形例３に係る封止部４１においては、封止部材４４の本体部４４ａ内部に中空部４４ｅが形成され、蓋ケース３５ｂの挿入穴４３内に突設部４３ｄが形成され、取付状態の封止部材４４の中空部４４ｅ内に突設部４３ｄが挿入されるようになっている。封止部材４４の中空部４４ｅ内部には、内側（中心側）に向けて突出して、外側に向けて退避可能な進退フック５２が配置されている。突設部４３ｄは、外側に向けて突出するケース側フック４３ｅを有している。
【００８１】
封止部材４４を取り付ける際に、本体部４４ａを挿入穴４３に挿入すると、進退フック５２が退避しつつケース側フック４３ｅを乗り越えて図９中下方に移動する。一旦進退フック５２がケース側フック４３ｅを乗り越えると、進退フック５２は、ケース側フック４３ｅと係合して封止部材４４の取り外しを阻止する。この構造によれば、進退フック５２が中空部４４ｅ内に配置されているので、基板ケースユニット４５の外部から進退フック５２へのアクセスがより一層困難なものとされている。したがって、進退フック５２を退避させて封止部材４４を取り外そうとする不正行為がより効果的に防止される。
【００８２】
なお、進退フック５２は、例えば樹脂等で構成されており、その弾性を利用して進退可能に構成されていてもよい。もちろん、実施の形態と同様に、進退フック５２の代わりにバネで突出側に付勢された突出ピン４６が用いられてもよい。
【００８３】
封止部材４４のフランジ部４４ｂは、周囲に折り返し部４４ｆを有している。貫通孔４２の周囲には円筒壁４２ｃが突出配置されており、その円筒壁４２ｃが折り返し部４４ｆに覆われるようになっている。その結果、折り返し部４４ｆと円筒壁４２ｃとの間の隙間Ｇは、Ｌ字状に屈曲している。隙間ＧがＬ字状に屈曲しているので、この隙間Ｇからドライバ等の不正工具を侵入させても貫通孔４２にまで到達することが困難となっている。したがって、封止部材４４を不正工具で不正にこじ開けようとする不正行為が有効に防止されている。
【００８４】
以上、本発明の好ましい実施の形態を説明したが、本発明はこれらに限定されるものではなく、その要旨の範囲内で様々な変形や変更が可能である。
【符号の説明】
【００８５】
Ｇ：隙間
２：パチンコ機（遊技機）
３：遊技機枠
４：外枠
５：遊技盤ユニット（遊技装置体）
６：遊技盤
６ａ：遊技盤面
７：センター役物
７ａ：演出表示装置
７ｂ：表示部
７ｃ：表示図柄
７ｄ：表示開口部
９：前枠
１０：ガラス
１２：ガラス枠
１４：球皿
１４ａ：上球皿
１４ｂ：下球皿
１４ｃ：球抜き部材
１５：発射装置ハンドル
１６：遊技領域
１７：第１図柄（特別図柄）表示装置
２２：ヒンジ
２３：遊技球
２５：風車
２６：レール飾り
２６ａ：外レール
２７：遊技釘
２８：普通入賞口
２９：始動入賞口
３０：アウト口
３１：大入賞口
３２：装飾部材
３３：ゲート
３４：主制御基板（電子基板）
３４ａ：基板
３４ｂ：集積回路
３４ｃ：接続コネクタ
３４ｄ：表面
３４ｆ：固定穴
３５：主制御基板ケース（基板ケース）
３５ａ：本体ケース（第１ケース、基板ケースの一部）
３５ｂ：蓋ケース（第２ケース、基板ケースの一部）
３５ｃ：側辺
３５ｅ：弧状爪部
３６：演出制御基板ケース
３７：払出制御基板ケース
３８：電源基板ケース
３９：外部出力端子板
４１：封止部
４２：貫通孔
４２ａ：段付き部
４２ｂ：嵌入穴（回転規制構造の一部）
４２ｃ：円筒壁
４３：挿入穴
４３ａ：係合溝（係合凹部）
４３ｂ：第２係合溝（係合凹部）
４３ｃ：テーパ面
４３ｄ：突設部
４３ｅ：ケース側フック
４４：封止部材
４４ａ：本体部
４４ｂ：フランジ部
４４ｃ：ピン孔
４４ｄ：突出部（回転規制構造の一部）
４４ｅ：中空部
４４ｆ：折り返し部
４５：基板ケースユニット
４６：突出ピン
４６ａ：先端部
４６ｂ：後端部
４７：バネ
４８：ストッパ部材
４８ａ：段付き部
４８ｂ：テーパ面
４９：バネ
５０：レバー部材（第２ロック部材）
５０ａ：先端部
５１：支点
５２：進退フック
【図１】
2012110504.tif 000003
【図２】
2012110504.tif 000004
【図３】
2012110504.tif 000005
【図４】
2012110504.tif 000006
【図５】
2012110504.tif 000007
【図６】
2012110504.tif 000008
【図７】
2012110504.tif 000009
【図８】
2012110504.tif 000010
【図９】
2012110504.tif 000011